(57)【要約】【課題】簡易な照明制御装置により、省電力化および照明負荷の長寿命化を図った照明装置を提供する。【解決手段】照明装置１は、人体検出センサ３が人体９を検出したときに、第１の所定期間Ｔ１にわたり照明負荷６を点灯させると共に、照明負荷６が点灯している第１の所定期間Ｔ１以下に設定された第２の所定期間Ｔ２内に人体検出センサ３が再度人体９を検出したときに、照明負荷６が点灯している時点から第１の所定期間Ｔ１よりも長く設定された第３の所定期間Ｔ３にわたり照明負荷６を点灯させるように構成されている照明制御装置４を具備している。【選択図】図１
2004152678.tif 000002
【特許請求の範囲】
【請求項１】
照明負荷を配設している照明器具と；
人体の有無を検出する人体検出センサと；
人体検出センサが人体を検出したときに、第１の所定期間にわたり照明負荷を点灯させると共に、照明負荷が点灯している第１の所定期間以下に設定された第２の所定期間内に人体検出センサが再度人体を検出したときに、照明負荷が点灯している時点から第１の所定期間よりも長く設定された第３の所定期間にわたり照明負荷を点灯させ、第２の所定期間を除く残余の第１の所定期間内に人体検出センサが再度人体を検出したときに、照明負荷が点灯している時点から第１の所定期間にわたり照明負荷を点灯させるように構成されている照明制御装置と；
を具備していることを特徴とする照明装置。
【請求項２】
照明制御装置は、外部信号を入力する受信部を備えており、外部信号により第１〜第３の所定期間がそれぞれ変更可能であることを特徴とする請求項１記載の照明装置。
【請求項３】
人体検出センサおよび照明制御装置は、照明器具に配設されていることを特徴とする請求項１または２記載の照明装置。
【発明の詳細な説明】
【０００１】
【発明の属する技術分野】本発明は、人体の有無の検出に応じて照明器具のランプ点灯を制御する照明装置に関する。
【０００２】
【従来の技術】オフィスや住宅等の廊下、玄関またはトイレなどにおいて、人体の有無に応じて照明負荷を点消灯させて省電力化を図っている照明装置が提供されている。この照明装置は、人感センサ（人体検出センサ）が人体を検出すると、一定期間、照明負荷を点灯させている。そして、人感センサの人体の検出状況に応じて、前記一定期間を変化させる照明装置が提供されている（例えば、特許文献１または特許文献２参照。）。
【０００３】
特許文献１の照明装置には、所定期間の人体検出回数が一定値を超えると、照明負荷を点灯させる前記一定期間（点灯保持期間）を長くし、所定期間の人体検出回数が一定値を下回ると、点灯保持期間を短くすることが開示されている。
【０００４】
また、特許文献２の照明装置には、一定周期内での人感センサの動作回数がカウントされ、このカウント数が一定値γを超えると、点灯保持期間を長くするよう変更され、カウント数が一定値γ以下になると、点灯保持時間は最初に設定したままとなることが開示されている。
【０００５】
特許文献１または特許文献２の照明装置は、照明負荷の点滅回数をできるだけ低減させて照明負荷の寿命の低下を抑制すると共に、省電力を図っているものである。
【０００６】
【特許文献１】
特開平１０−１６２９６５号公報（第３頁、第１〜第２図）
【０００７】
【特許文献２】
特開平１１−４５７８４号公報（第４頁、第１３〜第１４図）
【０００８】
【発明が解決しようとする課題】特許文献１は、当日の点灯保持期間が少なくとも前日に設定されるものである。そして、当日の人の移動状況により、人感センサの人体の検出状況、すなわち照明負荷の点滅回数は大きく変化する。したがって、当日の設定された点灯保持期間が長いまたは短いことが考えられ、余分に電力を消費したり、点滅回数が過多であったりするという欠点を有する。
【０００９】
また、特許文献２は、人感センサの動作回数が実際より多くカウントされ、点灯保持期間が長く設定されるおそれがある。すなわち、人感センサは、通常、人の移動動作により、一人当たり複数回の人体検出を行うことがある。このとき、一定値γが低く設定されていると、前記カウント数が一定値γを超えやすい。この結果、点灯保持期間が長く設定されやすくなり、余分に電力が消費されるおそがある。また、一定値γを高く設定すると、点滅回数が所望より増加しやすくなり、照明負荷の寿命の抑制が損なわれるおそれがある。
【００１０】
また、特許文献１または特許文献２の照明装置は、点滅回数をカウントするカウンタ部や点灯保持期間などの演算を行う演算部等を有するので、高機能により、高価になるという欠点を有する。
【００１１】
本発明は、簡易な照明制御装置により、省電力化および照明負荷の長寿命化を図った照明装置を提供することを目的とする。
【００１２】
【課題を解決するための手段】請求項１に記載の照明装置の発明は、照明負荷を配設している照明器具と；人体の有無を検出する人体検出センサと；人体検出センサが人体を検出したときに、第１の所定期間にわたり照明負荷を点灯させると共に、照明負荷が点灯している第１の所定期間以下に設定された第２の所定期間内に人体検出センサが再度人体を検出したときに、照明負荷が点灯している時点から第１の所定期間よりも長く設定された第３の所定期間にわたり照明負荷を点灯させ、第２の所定期間を除く残余の第１の所定期間内に人体検出センサが再度人体を検出したときに、照明負荷が点灯している時点から第１の所定期間にわたり照明負荷を点灯させるように構成されている照明制御装置と；を具備していることを特徴とする。
【００１３】
本発明および以下の各発明において、特に言及しない限り、各構成は以下による。
【００１４】
人体検出センサは、照明器具に一体的に配設されていてもよく、照明器具と離間した近くに配設されていてもよい。ここで、「近く」とは、人体検出センサにより検出された人が照明器具による照明を供することができるような人体検出センサおよび照明器具の位置関係を示す。
【００１５】
「人体検出センサが人体を検出したときに」とは、ひとりの人が動作により複数回検出される各々の検出を包含する。そして、人体検出センサが人体を検出する毎に、第１または第３の所定期間の計時がなされ、以前の第１または第３の所定期間の計時はリセットされる。
【００１６】
第２の所定期間は、第１の所定期間内に包含され、第１の所定期間の計時が行われている時に計時される。第２の所定期間の計時開始の時点は、第１の所定期間の計時開始と同時であってもよく、遅延されてもよいが、同時であることが好ましい。そして、照明負荷が第３の所定期間にわたり点灯されるとき、第２の所定期間は、第３の所定期間の計時が行われている時に計時され、この計時開始の時点は、第３の所定期間の計時開始と同時であってもよく、遅延されてもよい。第２の所定期間の大きさは、第１の所定期間以下であり、第１の所定期間と同等であってもよい。
【００１７】
「照明負荷が点灯している時点」とは、例えば人体検出センサが再度人体を検出した時点、第２の所定期間が終了する時点あるいは第１または第３の所定期間が終了時点とすることができる。
【００１８】
第２〜第３の所定期間を設けるとともに、第３の所定期間を第１の所定期間より長く設定する理由は以下による。すなわち、照明負荷が点灯している第１の所定期間内に人体検出センサが人体を検出すると、第１の所定期間の経過後に、再び人体検出センサが人体を検出する確率が高くなる。ここで、第１の所定期間を第１の所定期間よりも長い第３の所定期間に切り換えることにより、照明負荷が点灯しているときに人体検出センサが人体を検出する確率が高くなり、照明負荷を継続して点灯させることができ、照明負荷の点滅回数が低減可能である。そして、照明負荷が第３の所定期間にわたって点灯しているときも、上述の説明と同様に、第３の所定期間を維持することにより、照明負荷が点灯しているときに人体検出センサが人体を検出する確率が高くなり、照明負荷の点滅回数が低減可能である。
【００１９】
また、第２の所定期間を第１の所定期間以下に設定することにより、第１の所定期間または第３の所定期間において、第２の所定期間内に人体検出センサが人体を検出したときには、照明負荷は継続して第３の所定期間にわたり点灯され、第２の所定期間を除く残余の期間内に人体検出センサが人体を検出したときには、照明負荷は継続して第１の所定期間にわたり点灯される。これにより、照明負荷の累積の点灯期間が抑制され、照明負荷が不必要に点灯されることが抑制される。すなわち、照明装置の省電力化および照明負荷の長寿命化が図られる。
【００２０】
なお、第３の所定期間は、第１の所定期間の例えば２〜３倍の期間など、第１の所定期間よりも長くなるように適宜設定されていればよい。
【００２１】
本発明によれば、人体検出センサが人体を検出すると、第１の所定期間にわたり照明負荷が点灯され、第１の所定期間が終了すると、照明負荷は消灯される。そして、照明負荷が点灯している第２の所定期間内に人体検出センサが再度人体を検出すると、照明負荷が点灯している時点から第３の所定期間にわたり照明負荷が点灯され、第３の所定期間が終了すると、照明負荷は消灯される。さらに、第３の所定期間における第２の所定期間内に人体検出センサが人体を検出すると、照明負荷が点灯している時点から第３の所定期間にわたり照明負荷が継続して点灯される。そして、第１の所定期間および第３の所定期間において、第２の所定期間を除く残余の期間内に人体検出センサが人体を検出すると、照明負荷が点灯している時点から第１の所定期間にわたり照明負荷は継続して点灯され、第１の所定期間が終了すると、照明負荷は消灯される。この結果、照明負荷の点滅回数が低減され、累積の点灯期間が抑制されて、照明装置の省電力化および照明負荷の長寿命化が図られる。
【００２２】
また、照明制御装置は、人体検出センサの人体検出のタイミングに応じて、照明負荷の点灯期間を制御するので、簡易に構成される。
【００２３】
請求項２に記載の照明装置の発明は、請求項１記載の照明装置において、照明制御装置は、外部信号を入力する受信部を備えており、外部信号により第１〜第３の所定期間がそれぞれ変更可能であることを特徴とする。
【００２４】
外部信号の伝送は、有線または無線のどちらでもよい。無線が使用されるときは、受信部は、リモコン装置等から送信される外部信号を受信する受光器に接続され、外部信号は、受光器を介して受信部に入力される。
【００２５】
本発明によれば、外部信号により第１〜第３の所定期間がそれぞれ変更可能であるので、人体検出センサの人体検出の状況に応じて、第１〜第３の所定期間を適宜変更することにより、照明負荷の点滅回数の低減および累積の点灯期間の抑制が行えやすい。
【００２６】
請求項３に記載の照明制御装置の発明は、請求項１または２記載の照明装置において、人体検出センサおよび照明制御装置は、照明器具に配設されていることを特徴とする。
【００２７】
本発明によれば、人体検出センサおよび照明制御装置は、照明器具に配設されているので、天井などの造営物に照明器具を取り付けることにより、照明装置が容易に造営物に配設されて省力化が図れる。
【００２８】
【発明の実施の形態】以下、本発明の一実施の形態について、図面を参照して説明する。まず、本発明の第１の実施形態について説明する。
【００２９】
図１〜図６は、本発明の第１の実施形態を示し、図１は照明装置の構成図、図２は人体検出センサの斜視図、図３は照明制御装置の構成図、図４は照明装置の動作のフロー図、図５は図４に続く照明装置の動作のフロー図、図６は照明装置の動作波形図である。
【００３０】
図１において、照明装置１は、照明器具２、人体検出センサ３および照明制御装置４を有して構成されている。
【００３１】
照明器具２は、天井面５に配設された直付け照明器具であり、照明負荷としての蛍光ランプ６を配設していると共に、内部に蛍光ランプ６を付勢する点灯装置７を収容している。照明器具２は、蛍光ランプ６の点灯により、廊下８等の床面８ａを照明する。
【００３２】
人体検出センサ３は、照明器具２の近傍（近く）の天井面５に配設され、廊下８を通行する人体９の有無を検出するものである。すなわち、人体検出センサ３は、図２に示すように、センサ装置本体１０に収容され、床面８ａに向けて配設されている。人体検出センサ３は、例えば焦電形赤外センサが使用されている。
【００３３】
照明制御装置４は、図３に示すように、電源部１１、人体検出部１２、制御部１３、メモリ部１４、タイマ部１５および点灯制御部１６を有して構成されている。
【００３４】
電源部１１は、外部の商用交流電源Ｖｓに接続されており、交流電圧を直流電圧に変換して人体検出部１２、制御部１３、メモリ部１４、タイマ部１５および点灯制御部１６などに駆動電源を供給するように構成されている。人体検出部１２は、人体検出センサ３に接続されており、人体検出センサ３から人体９の検出信号を入力すると共に、この検出信号を制御部１３に伝送するように構成されている。
【００３５】
メモリ部１４は、不揮発性の記憶部に形成され、照明制御装置４の動作プログラムや第１〜第３の所定期間などが格納されるように構成されている。また、タイマ部１５は、制御部１３の制御により、第１〜第３の所定期間をそれぞれ計時するように構成されている。ここで、第１の所定期間は、適宜の期間に予め設定され、例えば２分であり、第２の所定期間は、第１の所定期間以下に設定され、例えば１．５分であり、第３の所定期間は、第１の所定期間よりも長く設定され、例えば２．５分である。そして、タイマ部１５は、第１の所定期間および第２の所定期間を同時に計時開始し、第３の所定期間および第２の所定期間を同時に計時開始する。
【００３６】
制御部１３は、メモリ部１４に記憶されている動作プログラムに基づいて動作し、人体検出部１２からの人体９の検出信号の有無に応じて、点灯制御部１６に蛍光ランプ（照明負荷）６を点消灯させる制御信号を送出するように構成されている。すなわち、制御部１３は、人体検出部１２から人体９の検出信号が伝送されると、第１の所定期間にわたり、点灯制御部１６に蛍光ランプ６を点灯させる点灯制御信号を送出する。また、蛍光ランプ６が点灯している第２の所定期間内に、人体検出部１２から人体９の検出信号が再度伝送されると、第３の所定期間にわたり、点灯制御部１６に蛍光ランプ６を点灯させる点灯制御信号を送出する。そして、人体検出部１２から人体９の検出信号が伝送されないとき、または第１の所定期間が経過したとき、あるいは第３の所定期間が経過したとき、点灯制御部１６に蛍光ランプ６を消灯させる消灯制御信号を送出するものである。
【００３７】
点灯制御部１６は、制御部１３からの点灯制御信号または消灯制御信号に応じて、例えばリレーである開閉装置１７をオンオフするように構成されている。開閉装置１７は、商用交流電源Ｖｓおよび点灯装置７の間に介在している。開閉装置１７がオンすると、点灯装置７は、商用交流電源Ｖｓから給電されて蛍光ランプ６を点灯させ、開閉装置１７がオフすると、点灯装置７は商用交流電源Ｖｓから給電されなくなり、蛍光ランプ６は消灯される。なお、開閉装置１７は、照明制御装置４に組み込まれてもよい。
【００３８】
次に、本発明の第１の実施形態の動作について、図４〜図５のフロー図および図６の動作波形図にしたがい説明する。
【００３９】
図４において、照明制御装置４の電源部１１が商用交流電源Ｖｓから給電されると、制御部１３等が動作する。制御部１３は、メモリ部１４に格納されたプログラムにしたがい動作して、メモリ部１４より第１〜第３の所定期間Ｔ１〜Ｔ３を読み出す（ステップＳ１）。
【００４０】
そして、制御部１３は、人体検出部１２からの人体９の検出信号の有無を判断する（ステップＳ２）。すなわち、人体検出センサ３による人体９の検出の有無が判断され、人体検出センサ３が人体９を検出していないとき、制御部１３は、点灯制御部１６に消灯制御信号を送出して蛍光ランプ（照明負荷）６を消灯させる（ステップＳ３）。この蛍光ランプ６の消灯は、人体検出センサ３が人体９を検出するまで継続される。
【００４１】
人体検出センサ３が人体９を検出すると、制御部１３は、タイマ部１５に第１の所定期間Ｔ１および第２の所定期間Ｔ２の計時を行わせると共に（ステップＳ４）、点灯制御部１６に点灯制御信号を送出して蛍光ランプ６を点灯させる（ステップＳ５）。
【００４２】
そして、蛍光ランプ６が点灯しているときに、制御部１３は、第２の所定期間Ｔ２が経過したかどうかを判断すると共に（ステップＳ６）、第２の所定期間Ｔ２内において、人体検出センサ３による人体９の検出の有無を判断する（ステップＳ７）。
【００４３】
蛍光ランプ６が点灯している第２の所定期間Ｔ２内において、人体検出センサ３が人体９を検出しないと、制御部１３は、第１の所定期間Ｔ１が経過したかどうかを判断する（ステップＳ８）。そして、第１の所定期間Ｔ１が経過していない残余の期間、人体検出センサ３による人体９の検出の有無を判断している（ステップＳ９、図５に示す。）。
【００４４】
蛍光ランプ６が点灯している第１の所定期間Ｔ１内において、人体検出センサ３が人体９を検出しないと、制御部１３は、点灯制御部１６に消灯制御信号を送出して蛍光ランプ６を消灯させる（ステップＳ１０）。そして、ステップＳ２に戻り、人体検出センサ３による人体９の検出の有無を判断する。
【００４５】
照明制御装置４は、上述したように、人体検出センサ３が人体９を検出したときに、蛍光ランプ６を点灯させる。そして、蛍光ランプ６が点灯しているときに、人体検出センサ３が再度人体９を検出しないときには、図６（ａ）に示すように、第１の所定期間Ｔ１の経過後に蛍光ランプ６を消灯させる。
【００４６】
そして、蛍光ランプ６が点灯している第２の所定期間Ｔ２内に人体検出センサ３が再度人体９を検出したときに（ステップＳ７）、制御部１３は、タイマ部１５に第１の所定期間Ｔ１および第２の所定期間Ｔ２の計時をリセットさせ、第３の所定期間Ｔ３および第２の所定期間Ｔ２の計時を行わせる（ステップＳ１１）。さらに、点灯制御部１６に継続して点灯制御信号を送出し、蛍光ランプ６を継続点灯させる（ステップＳ１２）。
【００４７】
そして、制御部１３は、再計時されている第２の所定期間Ｔ２が経過したかどうかを判断すると共に（ステップＳ１３）、この第２の所定期間Ｔ２内において、人体検出センサ３による人体９の検出の有無を判断する（ステップＳ１４）。
【００４８】
蛍光ランプ６が継続点灯している第２の所定期間Ｔ２内において、人体検出センサ３が人体９を検出しないと、制御部１３は、第３の所定期間Ｔ３が経過したかどうかを判断する（ステップＳ１５）。そして、第３の所定期間Ｔ３の残余の期間、人体検出センサ３による人体９の検出の有無を判断している（ステップＳ１６、図５に示す。）。
【００４９】
蛍光ランプ６が継続点灯している第３の所定期間Ｔ３内において、人体検出センサ３が人体９を検出しないと、制御部１３は、点灯制御部１６に消灯制御信号を送出して蛍光ランプ６を消灯させる（ステップＳ１０）。そして、ステップＳ２に戻り、人体検出センサ３による人体９の検出の有無が判断される。
【００５０】
照明制御装置４は、蛍光ランプ６が点灯しているときに、人体検出センサ３が再度人体９を検出したときに、この人体検出時点から第３の所定期間Ｔ３にわたり蛍光ランプ６を継続点灯させるようにしている。そして、蛍光ランプ６が継続点灯しているときに、人体検出センサ３が再び人体９を検出しないときには、図６（ｂ）に示すように、第３の所定期間Ｔ３の経過後に蛍光ランプ６を消灯させる。
【００５１】
そして、第３の所定期間Ｔ３にわたり蛍光ランプ６を継続点灯させている第２の所定期間Ｔ２内に、人体検出センサ３が再度人体９を検出したときに（ステップＳ１４）、制御部１３は、タイマ部１５に第３の所定期間Ｔ１および第２の所定期間Ｔ２の計時をリセットさせ、再び第３の所定期間Ｔ３および第２の所定期間Ｔ２の計時を行わせる（ステップＳ１７）。さらに、点灯制御部１６に継続して点灯制御信号を送出し、蛍光ランプ６を継続点灯させる（ステップＳ１８）。この蛍光ランプ６の継続点灯は、第３の所定期間Ｔ３における第２の所定期間Ｔ２内において、人体検出センサ３が人体９を検出する限り行われる（ステップＳ１３〜ステップＳ１８）。
【００５２】
そして、蛍光ランプ６が継続点灯している第３の所定期間Ｔ３における第２の所定期間Ｔ２内において、人体検出センサ３が再度人体９を検出しないときは、図６（ｃ）に示すように、第３の所定期間Ｔ３の経過後に蛍光ランプ６を消灯される。
【００５３】
また、蛍光ランプ６が第３の所定期間Ｔ３にわたり継続点灯されていて、第２の所定期間Ｔ２の経過後に人体検出センサ３が人体９を検出したときに（ステップＳ１６、図５に示す。）、制御部１３は、タイマ部１５に第３の所定期間Ｔ３および第２の所定期間Ｔ２の計時をリセットさせ、第１の所定期間Ｔ１および第２の所定期間Ｔ２の計時を行わせる（ステップＳ１９）。さらに、点灯制御部１６に継続して点灯制御信号を送出し、蛍光ランプ６を継続点灯させる（ステップＳ２０）。
【００５４】
そして、制御部１３は、ステップＳ６に戻り、第２の所定期間Ｔ２が経過したかどうかを判断して、以下、上述の動作を行う。そして、第１の所定期間Ｔ１内において、人体検出センサ３が人体９を検出しないときは、図６（ｄ）に示すように、第１の所定期間Ｔ１の経過後に蛍光ランプ６を消灯させる。
【００５５】
また、蛍光ランプ６が第１の所定期間Ｔ１にわたり点灯されていて、第２の所定期間Ｔ２の経過後に人体検出センサ３が人体９を検出したときに（ステップＳ９、図５に示す。）、制御部１３は、タイマ部１５に第１の所定期間Ｔ１および第２の所定期間Ｔ２の計時をリセットさせ、再び第１の所定期間Ｔ１および第２の所定期間Ｔ２の計時を行わせる（ステップＳ２１）。さらに、点灯制御部１６に点灯制御信号を送出し、蛍光ランプ６を継続点灯させる（ステップＳ２２）。
【００５６】
そして、制御部１３は、ステップＳ６に戻り、第２の所定期間Ｔ２が経過したかどうかを判断して、以下、上述の動作を行う。そして、第１の所定期間Ｔ１内において、人体検出センサ３が人体９を検出しないときは、図６（ｅ）に示すように、第１の所定期間Ｔ１の経過後に蛍光ランプ６を消灯させる。
【００５７】
上述したように、第１の所定期間Ｔ１（例えば２分）または第３の所定期間Ｔ３（例えば２．５分）にわたり蛍光ランプ６が点灯しているときに、第２の所定期間Ｔ２（例えば１．５分）内に人体検出センサ３が人体９を検出したときには、この検出時点から第３の所定期間Ｔ３にわたり蛍光ランプ６を継続点灯させ、第２の所定期間Ｔ２の経過後の残余の第１の所定期間Ｔ１内または第３の所定期間Ｔ３内に人体検出センサ３が人体９を検出した時には、この検出時点から第１の所定期間Ｔ１にわたり蛍光ランプ６を点灯させるので、蛍光ランプ６の点滅回数の低減および累積の点灯期間の抑制が図られる。これにより、照明装置１の省電力化および蛍光ランプ６の長寿命化が図られる。
【００５８】
なお、人体検出センサ３が再度人体９を検出したときに、蛍光ランプ６を継続点灯させる開始時点は、人体検出時点に限らず、第２の所定期間Ｔ２の終了時点や第１または第３の所定期間Ｔ１，Ｔ３の終了時点など、蛍光ランプ６が点灯している時点であればよい。
【００５９】
そして、照明制御装置４は、第１の所定期間Ｔ１〜第３の所定期間Ｔ３を計時するタイマ部１５を備え、人体検出センサ３による人体９の検出に応じて、制御部１３が蛍光ランプ６の点灯期間を制御するので、簡易に構成可能である。
【００６０】
次に、本発明の第２の実施形態について説明する。
【００６１】
図７〜図８は、本発明の第２の実施形態を示し、図７は照明装置の構成図、図８は照明制御装置の構成図である。なお、図１〜図３と同一部分には同一符号を付して説明は省略する。
【００６２】
図７に示す照明装置１８は、図１に示す照明装置１において、天井面５に受光器１９を配設したものである。この受光器１９に向かって送信機（リモコン）２０から蛍光ランプ６の点滅制御信号や第１〜第３の所定期間Ｔ１〜Ｔ３の設定値信号などの外部信号としてのワイヤレス信号が送信される。
【００６３】
受光器１９は、図８に示すように、照明制御装置２１の受信部２２に接続されている。受信部２２は、送信機２０から送信されたワイヤレス信号を制御部１３に伝送するように構成されている。
【００６４】
照明装置１８は、送信機２０から送信されるワイヤレス信号（外部信号）により第１〜第３の所定期間Ｔ１〜Ｔ３がそれぞれ変更可能である。これにより、人体検出センサ３の人体９の検出の状況に応じて、第１〜第３の所定期間Ｔ１〜Ｔ３を適宜変更することにより、蛍光ランプ６の点滅回数の低減および累積の点灯期間の抑制が向上される。
【００６５】
次に、本発明の第３の実施形態について説明する。
【００６６】
図９は、本発明の第３の実施形態を示す照明器具の横断面図である。なお、図１と同一部分には同一符号を付して説明は省略する。
【００６７】
図９に示す照明器具２３は、天井２４に埋設された埋込形照明器具であり、内部に人体検出センサ２５および照明制御装置４を配設している。すなわち、人体検出センサ２５および照明制御装置４は、照明器具２３に一体化されている。人体検出センサ２５は、廊下８等を通行する人体９の有無を検出するものであり、例えば焦電形赤外センサが使用されている。また、照明制御装置４は、ユニット化されて照明器具２３の内部に収納されている。
【００６８】
人体検出センサ２５および照明制御装置４は、照明器具２３に一体化されているので、天井２４に照明器具２３を配設することにより、人体検出センサ２５および照明制御装置４も付随して配設されることになり、照明装置の設置の省力化が図れる。
【００６９】
【発明の効果】請求項１の発明によれば、照明制御装置は、照明負荷が点灯している第１の所定期間以下に設定された第２の所定期間内に人体検出センサが再度人体を検出したときに、照明負荷が点灯している時点から第１の所定期間よりも長く設定された第３の所定期間にわたり照明負荷を点灯させるように構成されているので、照明負荷の点滅回数の低減および累積の点灯期間の抑制を図ることができて、照明装置の省電力化および照明負荷の長寿命化を図ることができる。また、照明制御装置は、人体検出センサによる人体の検出に応じて、照明負荷の点灯期間を制御するので、簡易な構成にすることができる。
【００７０】
請求項２の発明によれば、照明制御装置は、外部信号を入力する受信部を備えており、外部信号により第１〜第３の所定期間がそれぞれ変更可能であるので、人体検出センサの人体の検出の状況に応じて、第１〜第３の所定期間を適宜変更することにより、照明負荷の点滅回数の低減および累積の点灯期間の抑制を向上させることができる。
【００７１】
請求項３の発明によれば、人体検出センサおよび照明制御装置は、照明器具に配設されているので、天井などの造営物に照明器具を取り付けることにより、照明装置を容易に造営物に配設することができて省力化することができる。
【図面の簡単な説明】
【図１】本発明の第１の実施形態を示す照明装置の構成図。
【図２】同じく、人体検出センサの斜視図。
【図３】同じく、照明制御装置の構成図。
【図４】同じく、照明装置の動作のフロー図。
【図５】同じく、図４に続く照明装置の動作のフロー図。
【図６】同じく、照明装置の動作波形図。
【図７】本発明の第２の実施形態を示す照明装置の構成図。
【図８】同じく、照明制御装置の構成図。
【図９】本発明の第３の実施形態を示す照明器具の横断面図。
【符号の説明】
１，１８…照明装置、２，２３…照明器具、３，２５…人体検出センサ、４，２１…照明制御装置
【図１】
2004152678.tif 000003
【図２】
2004152678.tif 000004
【図３】
2004152678.tif 000005
【図４】
2004152678.tif 000006
【図５】
2004152678.tif 000007
【図６】
2004152678.tif 000008
【図７】
2004152678.tif 000009
【図８】
2004152678.tif 000010
【図９】
2004152678.tif 000011